(57)【要約】【課題】リーダーピンの着脱力の安定化を容易に実現することができる板ばね及びこれを用いた磁気テープカートリッジを提供する。【解決手段】板ばね８は、磁気テープカートリッジに設けた突起１８と嵌合する貫通孔１５と、突起１５を溶融させたときに、突起１５の溶融部材が流入する穴１６とを備えている。この構成によれば、貫通孔１５に嵌合させた突起１６を溶融させたときに、突起１８の溶融部材が板ばね８に設けた穴に流入する。したがって、貫通孔１５と突起１８との嵌合に加え、溶融部材で形成された突起と板ばね８の穴１６とが嵌合する。このことにより、板ばね８の回転方向の位置移動を規制できるので、板ばね８をリーダーピンの着脱用に用いると、リーダーピンの着脱力の安定化を図ることができる。【選択図】図５
2010009660.tif 000002
【特許請求の範囲】
【請求項１】
磁気テープカートリッジに固定される板ばねであって、
前記磁気テープカートリッジに設けた突起と嵌合する貫通孔と、
前記突起を溶融させたときに、前記突起の溶融部材が流入する穴とを備えたことを特徴とする板ばね。
【請求項２】
前記穴は凹部又は貫通孔である請求項１に記載の板ばね。
【請求項３】
前記穴は、複数個である請求項１又は２に記載の板ばね。
【請求項４】
請求項１から３のいずれかに記載の板ばねを備えた磁気テープカートリッジであって、
前記突起の先端に前記突起が溶融して形成された拡径部が形成されており、
前記板ばねの前記穴に、前記拡径部の一部が嵌合していることを特徴とする磁気テープカートリッジ。
【発明の詳細な説明】
【技術分野】
【０００１】
本発明は、磁気テープカートリッジのリーダーピンを保持する板ばね及びその固定構造に関する。
【背景技術】
【０００２】
磁気テープカートリッジとして、先端にリーダーピンを取り付けた磁気テープを収納したものが知られている。このリーダーピンに記録再生装置の引き出し素子を結合することにより、カートリッジ内から磁気テープが引き出される（例えば下記特許文献１参照）。このような磁気テープカートリッジとして、例えばＬＴＯ（Linear Tape Open）に基づいた記録再生装置に用いる磁気テープカートリッジがある。
【０００３】
前記のような磁気テープカートリッジにおいては、リーダーピンを保持するために板ばねを用いる。下記特許文献２の図１には、板ばねの取り付け構造として、ケースから突出させたピンの先端を溶融し拡径変形させた構成が記載されている。以下、図面を参照しながら、特許文献２に記載の構成と同様の板ばねの取り付け構造について説明する。
【０００４】
図１０は従来例に係る磁気テープカートリッジ１００の斜視図を示している。下ケース１０１と上ケース１０２とを組み合わせて箱状体を形成している。箱状体の側面には、引き出し口１０３を形成している。箱状体の内部には、磁気テープを収納している。磁気テープの先端は、リーダーピン１０４に接続されている。
【０００５】
リーダーピン１０４に記録再生装置の引き出し素子（図示せず）を結合して、リーダーピン１０４を引き出すことにより、カートリッジ内から磁気テープが引き出される。
【０００６】
図１１は、磁気テープカートリッジ１００の内部を示す平面図である。本図は、図１０において、上ケース１０２を取り外した状態の平面図に相当する。下ケース１０１上にテープリール１０５を搭載している。テープリール１０５に磁気テープ１０６を巻回している。下ケース１０１の引き出し口１０３の内側に板ばね１０７を取り付けている。
【０００７】
図１２は、図１１のＤ部の拡大図である。下ケース１０１には、凹部１０８と板ばね１０７の屈曲部１０７ａとにより、軸受部１０９を形成している。軸受部１０９にリーダーピン１０４の先端の係合軸部１０４ａを保持している。リーダーピン１０４を引き出す際には、板ばね１０７の屈曲部１０７ａが矢印ｅ方向に撓みながらリーダーピン１０４が引き出されることになる
図１３は、図１２のＥＥ線における断面図を示している。板ばね１０７の穴１０７ａには、下ケース１０１に形成した突起１１０が嵌合している。この突起１１０の先端を溶融し拡径部１１０ａを形成している。このことにより、板ばね１０７を下ケース１０１に固定している。
【特許文献１】特開２００６−１７９０５２号公報
【特許文献２】特開２０００−３３９９１２号公報
【発明の開示】
【発明が解決しようとする課題】
【０００８】
しかしながら、図１２、１３に示した板ばね１０７の取り付け構造では、突起１１０先端の拡径部１１０ａと板ばね１０７とが面接触しているに止まる。このため、板ばね１０７に外力が加わると、板ばね１０７が突起１１０を中心に回転移動し、がたつきが生じる可能性があった。この場合、リーダーピン１０４の着脱力が不安定になるという問題があった。
【０００９】
このがたつきを防止するには、板ばね１０７と板ばね１０７の固定部との間の隙間を小さくして、両者の嵌合を強固にすることが考えられるが、この構成では、板ばね１０７を下ケース１０１に嵌合させること自体が困難になってしまうという問題があった。
【００１０】
また、溶着機の設定変更により、溶着強度を向上させることも考えられるが、溶着強度は溶着機及び突起１１０の精度に左右され、安定した溶着強度の向上は困難であった。
【００１１】
本発明は、前記のような従来の問題を解決するものであり、リーダーピンの着脱力の安定化を容易に実現することができる板ばね及びこれを用いた磁気テープカートリッジを提供することを目的とする。
【課題を解決するための手段】
【００１２】
前記目的を達成するために、本発明の板ばねは、磁気テープカートリッジに固定される板ばねであって、前記磁気テープカートリッジに設けた突起と嵌合する貫通孔と、前記突起を溶融させたときに、前記突起の溶融部材が流入する穴とを備えたことを特徴とする。
【００１３】
本発明の磁気テープカートリッジは、前記本発明の板ばねを備えた磁気テープカートリッジであって、前記突起の先端に前記突起が溶融して形成された拡径部が形成されており、前記板ばねの前記穴に、前記拡径部の一部が嵌合していることを特徴とする。
【発明の効果】
【００１４】
本発明によれば、リーダーピンの着脱力の安定化を容易に実現することができる。
【発明を実施するための最良の形態】
【００１５】
本発明の板ばねによれば、貫通孔に嵌合させた突起を溶融させたときに、突起の溶融部材が板ばねに設けた穴に流入する。このことにより、貫通孔と突起との嵌合に加え、貫通孔とは別個の穴に溶融部材で形成された突起が嵌合する。この構成によれば、板ばねの回転方向の位置移動を規制できるので、板ばねをリーダーピンの着脱用に用いると、リーダーピンの着脱力の安定化を容易に実現することができる。
【００１６】
本発明の磁気テープカートリッジによれば、板ばねは、貫通孔と突起との嵌合に加え、貫通孔とは別個の穴と突起が溶融して形成された拡径部の一部とが嵌合している。この構成によれば、板ばねの回転方向の位置移動を規制できるので、板ばねをリーダーピンの着脱用に用いると、リーダーピンの着脱力の安定化を容易に実現することができる。
【００１７】
前記本発明の板ばねにおいては、前記穴は凹部又は貫通孔であることが好ましい。
【００１８】
また、前記穴は、複数個であることが好ましい。この構成によれば、板ばねの回転方向の位置移動の規制により有利になる。
【００１９】
以下、本発明の一実施の形態について、図面を参照しながら詳細に説明する。図１は、本発明の一実施の形態に係る磁気テープカートリッジ１０の斜視図を示している。磁気テープカートリッジ１０は、例えばＬＴＯ（Linear Tape Open）に基づいた記録再生装置に用いる磁気テープカートリッジである。下ケース１と上ケース２とを組み合わせて箱状体を形成している。箱状体の側面には、引き出し口３を形成している。箱状体の内部には、磁気テープを収納している。磁気テープの先端は、リーダーピン４に接続されている。
【００２０】
リーダーピン４に記録再生装置の引き出し素子（図示せず）を結合して、リーダーピン４を引き出すことにより、磁気テープカートリッジ１０内から磁気テープが引き出される。
【００２１】
図２は、図１のＡ部の拡大図である。リーダーピン４は、本体軸５の上下に係合軸６が一体になっている。筒状体７の内側に磁気テープの先端を介在させることにより、磁気テープの先端をリーダーピン４に取り付けている。
【００２２】
下ケース１及び上ケース２のそれぞれに、板ばね８と各ケースの凹部とで形成した軸受部９を設けている。各軸受部９にリーダーピン４の上下の係合軸６がそれぞれ保持されている。この保持構造については、後に図５を参照しながら説明する。
【００２３】
図３は、図１に示した磁気テープカートリッジ１０の内部を示す平面図である。図３は、図１において、上ケース２を取り外した状態の平面図に相当する。図４は、上ケース２を裏面側から見た平面図である。図３において、下ケース１上にリール１１が搭載されている。リール１１には磁気テープ１２が巻回されている。図３において、下ケース１の引き出し口３の内側に板ばね８を取り付けている。板ばね８にはリーダーピン４の係合軸６を係合させている。このことは、図４に示した上ケース１についても同様である。
【００２４】
図５は、図３のＢ部の拡大図である。図６は、図５の板ばね８を取り出して単体で図示した平面図である。まず、図６を参照しながら、板ばね８単体の構造について説明する。図６において、板ばね８は平板状の取り付け部１３と立設部１４とを備えている。立設部１４は取り付け部１３に対して直角に折り曲げて形成している。したがって、取り付け部１３と立設部１４とで断面Ｌ字形状を形成していることになる。
【００２５】
取り付け部１３には貫通孔１５を形成している。貫通孔１５に隣接して穴１６を形成している。穴１６は本図の例では、取り付け部１３を窪ませた凹部である。立設部１４にはフック形状の屈曲部１４ａを形成している。
【００２６】
次に、図５を参照しながら、板ばね８近傍の構造について説明する。下ケース１の底面には、凹部１７を形成している。凹部１７に形成された壁面１７ａが、係合軸６の外周の一部を囲んでいる。壁面１７ａに隣接するように、板ばね８の屈曲部１４ａを配置している。このことにより、壁面１７ａと屈曲部１４ａの側面とで囲まれた軸受部９を形成している。この軸受部９に係合軸６を配置している。
【００２７】
図５において、係合軸６の引き出し口３側は、係合軸６を囲む壁面１７ａを形成していない開放部になっている。この開放部において、屈曲部１４ａと屈曲部１４ａと反対側の壁面１７ａとの間の距離ｄは、係合軸６の径より小さくしている。このことにより、係合軸６は、壁面１７ａと屈曲部１４ａの側面とで囲まれた軸受部９に、安定して保持されていることになる。この構成では、リーダーピン４を引き出し口３から引き出す際には、屈曲部１４ａが矢印ａ方向に撓みながら係合軸６が引き出し口３側に引き出されることになる。
【００２８】
図５は、下ケース１の構成であるが、上ケース２にも同様の構成を備えている。したがって、上ケース２においても、図５と同様に、係合軸６は軸受部９に安定して保持されていることになる。すなわち、図２のように下ケース１と上ケース２とを組み合わせた状態では、リーダーピン４の上下の係合軸６はそれぞれ、上ケース２及び下ケース１に形成された軸受部９に保持されていることになる。このため、図２の状態では、リーダーピン４は安定した状態で、磁気テープカートリッジ１０内に保持されていることになる。
【００２９】
次に、板ばね８の取り付け構造について説明する。図５は、板ばね８の貫通孔１５に下ケース１に設けた突起１８を挿通させて、板ばね８を下ケース１に仮固定した状態である。板ばね８を下ケース１に固定する途中の状態を説明するため、図５では便宜上、板ばね８を下ケース１に仮固定した状態を示している。
【００３０】
図７は、図５のＣＣ線における断面図である。突起１８が板ばね８の貫通孔１５を挿通しており、突起１８と貫通孔１５とが嵌合している。図８は、図７の突起１８近傍の拡大図を示している。本図に示したように、穴１６は板ばね８を窪ませた凹部である。
【００３１】
図７、８の状態は、板ばね８の仮止め状態を示している。突起１８の先端部の溶融を経て、板ばね８の固定が完了する。図７、８の状態において、突起１８の先端部を加熱して溶融させると、突起１８の先端部は径を大きくしながら、外側に広がって行く。このような加熱・溶融の方法としては、例えば突起１８を熱可塑性樹脂で形成して、突起１８を超音波溶着する方法が挙げられる。
【００３２】
図９は板ばね８の固定が完了した状態を示す断面図である。溶融した突起１８の先端部は冷却され拡径部１８ａを形成している。この状態では、板ばねは下ケース１と拡径部１８ａとの間に挟まれている。このことにより、板ばね８の矢印ｂ方向の移動は規制され、板ばね８が下ケース１から外れることを防止することができる。
【００３３】
また、突起１８の先端部の溶融により、溶融部材が穴１６に流入している。したがって、図９に示したように、拡径部１８ａの一部が突出した突起１８ｂが形成されている。この突起１８ｂと穴１６とが嵌合していることになる。このことにより、板ばね８は矢印ｃ方向（図５）の回転移動が規制されることになる。
【００３４】
ここで、従来例に係る図１３の構成においても、板ばね１０７は下ケース１０１と拡径部１１０ａとの間に挟まれている。この点は、本実施の形態に係る図９の構成と同様である。一方、図１３の構成では、拡径部１１０ａと下ケース１０１とは平面同士が当接しているに止まり、板ばねの回転移動を規制する構成を備えていない。
【００３５】
前記の通り、リーダーピン４を引き出し口３から引き出す際には、屈曲部１４ａが矢印ａ方向（図５）に撓むことになる。引き出したリーダーピン４を再び軸受部９に嵌合させる場合も同様である。屈曲部１４ａが矢印ａ方向に撓む場合には、板ばね８の取リ付け部１３を矢印ａ方向に回転移動させようとする力が加わることになる。図１３の構成では、板ばね８の回転移動を規制する構成を備えていないので、軸受部９とリーダーピン４の係合軸６との間の着脱を繰り返すと、板ばね８が回転移動して、がたつきが生じ易くなる。このようながたつきが生じると、リーダーピン４の着脱力が不安定になる。
【００３６】
これに対し、本実施の形態では、前記の通り、図９に示した突起１８ｂと穴１６との嵌合により、板ばね８の回転移動が規制されるので、軸受部９とリーダーピン４の係合軸６との間の着脱による板ばね８のがたつきの発生を防止することができる。したがって、リーダーピン４の着脱力も安定することになる。
【００３７】
また、図９に示した突起１８ｂと穴１６との嵌合は、溶融と同時に進行するので、特別に工程を追加する必要がない。また、板ばね８の回転移動を規制するために、専用の位置決めリブ等を追加する必要もない。すなわち、本実施の形態によれば、簡単な構成で、リーダーピンの着脱力の安定化を容易に実現することができる。
【００３８】
なお、図６の例では、穴１６は２個であるが、３個以上としてもよい。また、穴１６は少なくとも１個備えていれば、すなわち図９の構成において、突起１８ｂと穴１６とが嵌合した部分が少なくとも１箇所あれば、板ばね８の回転移動を規制することができる。
【００３９】
また、穴１６は突起１８の溶融部材が流入することができれば、図９に示したように、突起１８ｂと穴１６とが嵌合した部分を形成することができる。このため、図８、９では穴１６は板ばね８を窪ませた凹部の例を示しているが、貫通孔としてもよい。同様に穴１６の開口形状は、図６のように円形に限るものではない。
【００４０】
また、前記の板ばね８の形状は一例であり、取り付け対象に設けた突起と嵌合する貫通孔を備えた板ばねであれば他の形状でもよい。
【産業上の利用可能性】
【００４１】
以上のように、本発明によれば、板ばねの回転方向の位置移動を規制してリーダーピンの着脱力の安定化を図ることができるので、本発明は、例えば、リーダーピンを保持する板ばねを備えた磁気テープカートリッジに有用である。
【図面の簡単な説明】
【００４２】
【図１】本発明の一実施の形態に係る磁気テープカートリッジ１０の斜視図。
【図２】図１のＡ部の拡大図。
【図３】図１の磁気テープカートリッジ１の内部を示す平面図。
【図４】本発明の一実施の形態に係る上ケース２を裏面側から見た平面図。
【図５】図３のＢ部の拡大図。
【図６】本発明の一実施の形態に係る板ばねの平面図。
【図７】図５のＣＣ線における断面図。
【図８】図７の突起１８近傍の拡大図。
【図９】本発明の一実施の形態に係る板ばね８の固定が完了した状態を示す断面図。
【図１０】従来の磁気テープカートリッジの一例の斜視図。
【図１１】図１０の磁気テープカートリッジ１００の内部を示す平面図。
【図１２】図１１のＤ部の拡大図。
【図１３】図１２のＥＥ線における断面図。
【符号の説明】
【００４３】
１  下ケース
２  上ケース
３  引き出し口
４  リーダーピン
６  係合軸
８  板ばね
９  軸受部
１０  磁気カートリッジテープ
１５  貫通孔
１６  穴
１８,１８ｂ  突起
１８ａ  拡径部
【図１】
2010009660.tif 000003
【図２】
2010009660.tif 000004
【図３】
2010009660.tif 000005
【図４】
2010009660.tif 000006
【図５】
2010009660.tif 000007
【図６】
2010009660.tif 000008
【図７】
2010009660.tif 000009
【図８】
2010009660.tif 000010
【図９】
2010009660.tif 000011
【図１０】
2010009660.tif 000012
【図１１】
2010009660.tif 000013
【図１２】
2010009660.tif 000014
【図１３】
2010009660.tif 000015